(57)【要約】個体別オーダーメード型ペットフードのオンライン販売方法の一実施例は、ペットフードをオンラインで販売するために、コンピューターで具現される方法であって、オンライン接続された注文者端末にユーザインタフェースの入力画面を提供する段階−ユーザインタフェースの入力画面は、特定のペット類の身体情報を構成する項目に対して、特定のペット類に属した対象個体の身体情報を入力するためのものである−注文者端末から項目に対して入力された対象個体の身体情報を受信する段階と、受信した身体情報に基づいて対象個体のためのオーダーメード型飼料の原料配合比を決定する段階と、注文者端末に決定された原料配合比を有する飼料の代金に対する決済を要請する段階と、決済が完了されれば、代金が決済された飼料の製造を指示する段階と、を含む。本発明に係ると、特定のペット類に属した個体がそれぞれ互いに異なる多様な身体情報を有するにもかかわらず、個体のそれぞれに該当個体の身体情報に適合化された飼料を提供することができる。【選択図】図５
2016507821.tif 000002
【特許請求の範囲】
【請求項１】
コンピューターを用いてペットフードをオンラインで販売する方法であって、
オンライン接続された注文者端末にユーザインタフェースの入力画面を提供する段階として、前記ユーザインタフェースの入力画面は、特定のペット類の身体情報を構成する項目に対して、前記特定のペット類に属した対象個体の身体情報を入力するためのものである前記提供段階と、
前記注文者端末から前記項目に対して入力された前記対象個体の身体情報を受信する段階と、
前記受信した身体情報に基づいて前記対象個体のためのオーダーメード型飼料の原料配合比を決定する段階と、
前記注文者端末に前記決定された原料配合比を有する飼料の代金に対する決済を要請する段階と、
前記決済が完了されれば、前記代金が決済された飼料の製造を指示する段階と、を含む
ことを特徴とするペットフードのオンライン販売方法。
【請求項２】
前記項目は、品種、年齢、及び体重を含む
請求項１に記載のペットフードのオンライン販売方法。
【請求項３】
前記項目は、一つ以上のそれぞれの疾患に対して該当するか否かを含む
請求項２に記載のペットフードのオンライン販売方法。  
【請求項４】
前記一つ以上の疾患は、泌尿器疾患、皮膚疾患、消化器疾患、口腔疾患、肝疾患、関節疾患、及び心臓疾患の中で何れか一つ以上を含む
請求項３に記載のペットフードのオンライン販売方法。
【請求項５】
前記決定段階は、
前記ペット類が有することができる身体情報を、対応するオーダーメード型飼料の原料配合比にマッチングさせたデータベースから前記受信した身体情報に対応するオーダーメード型飼料の原料配合比を検出する段階と、
前記検出された原料配合比を、前記対象個体のためのオーダーメード型飼料の原料配合比で決定する段階と、を含む
請求項１に記載のペットフードのオンライン販売方法。
【請求項６】
前記提供段階は、
前記注文者端末に注文者情報を要請する段階と、
前記注文者端末から前記要請した注文者情報を受信する段階と、
前記受信した注文者情報から注文者に要求される資格要件の満足が確認された場合に限り、前記注文者端末に前記ユーザインタフェースの入力画面を提供する段階と、を含む
請求項１に記載のペットフードのオンライン販売方法。
【請求項７】
前記資格要件は、注文者が獣医師である場合に満たされるものである
請求項６に記載のペットフードのオンライン販売方法。
【請求項８】
前記決済が完了されれば、注文者の口座に手数料を振替する段階を含む
請求項７に記載のペットフードのオンライン販売方法。
【請求項９】
前記指示段階は、
前記決済が完了されれば、工場サーバに前記代金が決済された飼料の製造指示情報を転送する段階を含む
請求項１に記載のペットフードのオンライン販売方法。
【請求項１０】
請求項１ないし９のいずれかに記載された方法のそれぞれの段階を行うためのコンピュータープログラムコードが記録された
ことを特徴とするコンピューター読み取り可能な記録媒体。
【発明の詳細な説明】
【技術分野】
【０００１】
本発明は、ペットフードを販売する方法に関し、より詳細には、ペットフードをインターネット等を通じてオンラインで販売する方法に関する。
【背景技術】
【０００２】
ペットとは、人間が楽しみを享受するための対象として飼育する動物である。少子高齢化、１人世帯の増加などにより核家族化が深刻化する傾向とあいまって、ペットを飼う人口が増加している。さらに、ペットをもう一つの家族のように人生の同伴者として育てる人口も増加している。
【０００３】
伝統的なペット類には、犬、猫などがある。これらの中で犬を例に挙げると、ペット個体は互いに異なる多様な身体情報を有する。具体的に、様々な品種のペット個体が存在し、品種が同じペット個体もそれぞれ多様な年齢を有する。品種と年齢がみな同じペット個体も、それぞれ多様な体重を有する。しかも、あるペット個体は疾患を患っており、このようなペット個体が患っている疾患の個数と種類も多様である。
【０００４】
それにもかかわらず、ペットフードは一般的にすべてのペット個体に対して画一的な原料配合比で製造されたり、体重、皮膚疾患や関節疾患などのような単に一つの身体情報項目に特化された原料配合比で製造される。このようなやり方で製造された製品は、販売者によってオンラインショップ又はオフラインショップに陳列され、注文者によって直接に選択されて購買されている。
【０００５】
ところが、画一的な原料配合比で製造されたペットフードは、疾病を患っているペットが食べた場合に当該疾病をさらに悪化させることができ、肥満のペット犬が食べる場合、体重をさらに増大させる問題点がある。一つの身体情報項目に特化された原料配合比で製造されたペットフードも該当身体情報項目に対しては効能があるとしても、他の身体情報項目と関連してペットの健康を悪化させてしまう問題点がある。また、獣医師学的な知識が不足した注文者が複数の種類のペットフードの中で直接に何れか１つを選択する場合、その選択されたペットフードが注文者の本意とは違って、ペットの健康を悪化させてしまう問題点がある。
【０００６】
一方、ペットフードの従来の販売方法によると、販売者はペットフードが販売される前に、そのペットフードを予め製造して備蓄しておく。その後、注文者がそのペットフードを選択して取引が実現されると、販売者は予め製造して備蓄しておいた製品を注文者に配送する。
【０００７】
これによって、注文者は製造されるやいなやすぐ配送される新鮮な製品を受けられず、備蓄期間ほど経過した後に配送されるため、相対的に鮮度が落ちた製品を受けるようになるという問題点がある。また、販売される可能性がほとんどないか、低い種類のペットフードを予め製造して備蓄しておくことは、経済的な損失をもたらしかねないため、販売者が様々な種類のペットフードを販売することが困難であるという問題点がある。
【発明の概要】
【発明が解決しようとする課題】
【０００８】
本発明が解決しようとする課題は、特定のペット類に属した個体がそれぞれ異なる多様な身体情報を有しているにもかかわらず、個体それぞれの身体情報に適合化された飼料をオーダーメード型で提供するペットフードのオンライン販売方法を提供することにある。
【課題を解決するための手段】
【０００９】
上記のような問題点を解決するための本発明の一実施例に係るオンライン販売方法は、ペットフードをオンラインで販売するために、コンピューターで具現される方法であって、オンライン接続された注文者端末にユーザインタフェースの入力画面を提供する段階−前記ユーザインタフェースの入力画面は、特定のペット類の身体情報を構成する項目に対して、前記特定のペット類に属した対象個体の身体情報を入力するためのものである−前記注文者端末から前記項目に対して入力された前記対象個体の身体情報を受信する段階と、前記受信した身体情報に基づいて前記対象個体のためのオーダーメード型飼料の原料配合比を決定する段階と、前記注文者端末に前記決定された原料配合比を有する飼料の代金に対する決済を要請する段階と、前記決済が完了されれば、前記代金が決済された飼料の製造を指示する段階と、を含む。
【００１０】
望ましくは、前記項目は、品種、年齢、及び体重を含む。望ましくは、前記項目は、一つ以上のそれぞれの疾患に対して該当するか否かをさらに含む。望ましくは、前記一つ以上の疾患は、泌尿器疾患、皮膚疾患、消化器疾患、口腔疾患、肝疾患、関節疾患、及び心臓疾患の中で何れか一つ以上を含む。
【００１１】
望ましくは、前記ユーザインタフェースの入力画面は、前記項目に対して入力できる候補のリストを提供するものである。
【００１２】
望ましくは、前記決定段階は、前記ペット類が有することができる身体情報を、対応するオーダーメード型飼料の原料配合比にマッチングさせたデータベースから前記受信した身体情報に対応するオーダーメード型飼料の原料配合比を検出する段階と、前記検出された原料配合比を、前記対象個体のためのオーダーメード型飼料の原料配合比で決定する段階と、を含む。
【００１３】
望ましくは、前記提供段階は、前記注文者端末に注文者情報を要請する段階と、前記注文者端末から前記要請した注文者情報を受信する段階と、前記受信した注文者情報から注文者に要求される資格要件の満足が確認された場合に限り、前記注文者端末に前記ユーザインタフェースの入力画面を提供する段階と、を含む。
【００１４】
望ましくは、前記資格要件は、注文者が獣医師である場合に満たされる。
【００１５】
望ましくは、前記方法は、前記決済が完了されれば、注文者の口座に手数料を振替する段階をさらに含む。
【００１６】
望ましくは、前記指示段階は、前記決済が完了されれば、工場サーバに前記代金が決済された飼料の製造指示情報を転送する段階を含む。
【００１７】
望ましくは、前記方法は、前記製造指示によって製造された飼料を注文者に配送することを指示する段階を含む。
【発明の効果】
【００１８】
本発明によると、特定のペット類に属した個体がそれぞれ異なる多様な身体情報を有しているにもかかわらず、個体それぞれの身体情報に適合化された飼料を提供することができる。したがって、ペット個体の健康維持または回復を保障することができる。
【００１９】
注文者は、オーダーメード型飼料を直接に選択するのではなく、ペット個体の身体情報を複数の項目に対して提供するだけであり、そのペット個体のためのオーダーメード型飼料は専門家の検討を経て設定されたマッチング関係によって、そのペット個体の身体情報に適合化された原料配合比を有する製品に決定されることができる。これはペット個体の安全の確保ができ、飼料の効能を保障できるようにする。
【００２０】
原料配合比が取引の過程で決定されるため、飼料の製造は取引の成功後にオーダーメード型で行われる。これは予め製造して備蓄しておいた飼料を配送する従来の技術に比べて消費者に相対的により新鮮な飼料を提供できるようにする。また、これは販売者が在庫の負担なく多様な種類のペットフードを販売できるようにする。
【００２１】
付加的に、単に獣医師のみが注文を可能にし、取引が実現された後に獣医師に手数料を振替することで、獣医師は手数料を通じて直接的な収益を創出できると共に、飼料を注文しようと訪問する顧客からの間接的な収益が創出できる。飼料を注文するために獣医師に訪問する顧客も獣医師を通じて飼料を注文することによって、飼料の安全性及び信頼性がさらに確保できる。
【図面の簡単な説明】
【００２２】
【図１】本発明の一実施例に係るオンライン販売システムのブロック図
【図２】図１の販売サーバのブロック図
【図３】図２の飼料マッチングＤＢに格納されたマッチングテーブルの例示説明図
【図４】図３において、飼料コード「０００８８１」に該当するオーダーメード型飼料に対する原料配合比ファイルの例示説明図
【図５】図１の販売サーバによって実行されるオンライン販売方法のフローチャート
【図６】図５で提供されるユーザインタフェースの入力画面の例示説明図
【図７】図６のユーザインタフェースの入力画面で品種選択アイコンがクリックされた状態を示す説明図
【図８】図６のユーザインタフェースの入力画面で年齢選択アイコンがクリックされた状態を示す説明図
【図９】図６のユーザインタフェースの入力画面で体重選択アイコンがクリックされた状態を示す説明図
【図１０】図６のユーザインタフェースの入力画面で「皮膚」が選択された状態を示す説明図
【図１１】図６の原料配合比の決定段階のフローチャート
【発明を実施するための形態】
【００２３】
以下に添付された図面を参照しながら本発明の望ましい実施例について具体的に説明する。本明細書で使用された用語や単語は通常的または辞典的な意味に限定して解釈されず、発明者は自分の発明を最善の方法で説明するために用語の概念を適切に定義することができるという原則に基づいて本発明の技術的思想に合致する意味と概念に解釈される。
【００２４】
図１は、本発明の一実施例に係るオンライン販売システム１０のブロック図である。図１を参照すれば、オンライン販売システム１０は、注文者端末１００、販売サーバ２００、工場サーバ３００、および電子決済システム４００を含む。
【００２５】
注文者端末１００は、ペットフードの注文者によって使用される。例えば、注文者端末１００はデスクトップコンピューター、ノート型コンピューター、スマートフォンなどである。注文者端末１００は、インターネットに接続するための有線通信手段と無線通信手段とのうち、何れか一つ以上を含む。インターネットは通信ネットワークの例示に該当する。
【００２６】
販売サーバ２００は、ペットフードの販売者によって使用される。例えば、販売サーバ２００は、一般的なサーバコンピューターである。販売サーバ２００もインターネットに接続するための有線通信手段と無線通信手段との何れか一つ以上を含む。販売サーバ２００は、本発明に係るオンライン販売方法を行う。これを通じて販売サーバ２００は、インターネットに接続した注文者端末１００にオーダーメード型のペットフードのオンライン販売サービスを提供する。
【００２７】
工場サーバ３００は、ペットフードの製造者によって使用される。工場サーバ３００と販売サーバ２００は、インターネット、ＬＡＮ（Ｌｏｃａｌ  Ａｒｅａ  Ｎｅｔｗｏｒｋ）、ＶＡＮ（Ｖａｌｕｅ  Ａｄｄｅｄ  Ｎｅｔｗｏｒｋ）などの通信ネットワークを通じて互いにデータを交換することができる。
【００２８】
ペットフードの製造者は、ペットフードを製造するだけでなく、製造されたペットフードを注文者が指定した場所に配送することもできる。したがって、工場サーバ３００はペットフードの配送者によって使われることもできる。さらに、場合によって、販売サーバ２００が工場サーバ３００として使用されることもできる。
【００２９】
電子決済システム４００は、注文者と販売者との間でペットフードの代金決済がオンラインで行われるようにサービスする。電子決済システム４００は従来の技術を活用して具現され得る。
【００３０】
電子決済システム４００には、ＰＧ（Ｐａｙｍｅｎｔ  Ｇａｔｅｗａｙ）サーバが含まれ得る。ＰＧサーバは、インターネット上で金融機関と行う取引を代行するサービスを提供する。ＰＧサーバは、クレジットカード、口座振替、携帯電話を利用した決済、ＡＲＳ決済などの多様な少額決済サービスを代わりに提供してくれる。
【００３１】
図２は、図１の販売サーバ２００のブロック図である。図２を参照すれば、販売サーバ２００は、受信部２１０、メモリ部２２０、送信部２３０、注文資格者ＤＢ２４０、飼料マッチングＤＢ２５０及び制御部２６０を含む。
【００３２】
受信部２１０は、有無線回線を通じてデータを受信する。有無線回線はインターネットに接続されたり、他の装置に直接に連結されることができる。
【００３３】
メモリ部２２０は、コンピュータープログラムを格納する。メモリ部２２０に格納されたコンピュータープログラムには、ＯＳ（Ｏｐｅｒａｔｉｎｇ  Ｓｙｓｔｅｍ）プログラム２２２と応用プログラム２２４が含まれる。この応用プログラム２２４には、本発明に係るオンライン販売方法を行うためのコンピュータープログラムが含まれる。メモリ部２２０は、コンピュータープログラムのほかにも、本発明に係るオンライン販売方法を行う際に使用されるデータを格納する。
【００３４】
送信部２３０は、有無線回線を通じてデータを送信する。有無線回線は、インターネットに接続されたり、他の装置に直接に連結されることができる。送信部２３０がデータを送信する回線と受信部２１０がデータを受信する回線は同一であることができる。
【００３５】
注文資格者ＤＢ２４０は、注文資格者の身元情報を示すデータの集合である。注文資格者は、注文者に要求される資格要件を満たしていると確認された者をいう。本実施例において、注文者に要求される資格要件は注文者が獣医師である場合に満たされる。
【００３６】
注文資格者ＤＢ２４０には、注文資格者の個々のＩＤ、パスワード、氏名、口座情報、住所、電子メール、電話番号などの個人情報が格納される。注文資格者ＤＢ２４０内の情報は、セキュリティのために暗号化されることができる。
【００３７】
飼料マッチングＤＢ２５０は、特定のペット類が有することができる身体情報を、対応するオーダーメード型飼料コード及び原料配合比にマッチングさせる。身体情報に対する原料配合比のマッチング関係は、獣医師のような専門家の検討を経て、該当身体情報に適合化されるように設定される。オーダーメード型飼料のそれぞれにマッチングされた身体情報は、特定のペット類の身体情報を構成する複数の項目に対するデータセットで構成される。
【００３８】
本実施例において、特定のペット類は犬である。これによって、飼料マッチングＤＢ２５０は、ペットが有することのできる身体情報を、対応するオーダーメード型飼料コード及び原料配合比にマッチングさせる。販売サーバ２００は、飼料マッチングＤＢ２５０を利用することで、特定のペットの個体の身体情報に対応するオーダーメード型飼料コード及び原料配合比を検出することができる。
【００３９】
図３は、図２の飼料マッチングＤＢ２５０に格納されたマッチングテーブルの例示図である。図３を参照すれば、マッチングテーブルは身体情報列２５１と飼料コード列２５２で構成される。
【００４０】
身体情報列２５１には、ペットが有することのできる身体情報が複数の項目２５１−１ないし１０に対するデータセットで記録される。複数の項目は、品種２５１−１、年齢２５１−２、体重２５１−３を含む。複数の項目は、ペットが有することのできるそれぞれの疾患に対して該当するか否かをさらに含む。これらの疾患は、泌尿器疾患２５１−４、関節疾患２５１−５、消化器疾患２５１−６、口腔疾患２５１−７、肝疾患２５１−８、皮膚疾患２５１−９や心臓疾患２５１−１０を含む。
【００４１】
ペットの個体の身体情報は、個々の行で、身体情報列２５２に記録されたデータセットによって識別される。このような行にわたって、ペットが有することのできるすべての場合の身体情報が記録される。
【００４２】
飼料コード列２５２には、該当行に記録された身体情報に対するオーダーメード型飼料の識別コードが記録される。特定の行に記録された身体情報は、同一の行に記録された飼料コードを有するオーダーメード型飼料にマッチングされる。
【００４３】
オーダーメード型飼料は、該当身体情報に適合化された原料配合比を有する。例えば、身体情報に心臓疾患がある場合、これに適合化された原料配合比は、アミノ酸を供給する肉類と蛋白質の含量を高め、心臓性悪液質（筋肉の浪費）を有しているペットのために、脂肪の量は増加させたものである。身体情報に心臓疾患があるが過体重である場合、これに適合化された原料配合比は、前述した場合の原料配合比で脂肪の量を相対的に減らしたものである。身体情報に皮膚疾患がある場合、これに適合化された原料配合比は、羊肉や鮭などのたんぱく質源を使用した原料の比率を増加させたものである。このように、特定のオーダーメード型飼料の原料配合比は、他の身体情報に適合化された原料配合比から該当身体情報によって特定の原料を加減して決定することができる。
【００４４】
それぞれの身体情報に対する原料配合比の構成は、獣医師のような専門家の検討を経て設定される。これは、オーダーメード型飼料を食べるペットの個体の安全が確保できるようにし、オーダーメード型飼料の効能が保障できるようにする。
【００４５】
図４は、図３において、飼料コード「０００８８１」２５４に該当するオーダーメード型飼料に対する原料配合比ファイルの例示図である。図４を参照すれば、原料（Ｉｔｅｍ）列２６１にオーダーメード型飼料の原料が記録される。比率（Ｒａｔｉｏ）列２６２にはそれぞれの原料がオーダーメード型飼料で占める比率が記録される。
【００４６】
粗蛋白質（Ｃｒｕｄｅ  Ｐｏｔｅｉｎ）列２６３、粗脂肪（Ｃｒｕｄｅ  Ｆａｔ）列２６４、及び粗繊維（Ｃｒｕｄｅ  Ｆｉｂｅｒ）列２６５には、それぞれの原料が当該成分をどれだけ含有しているかが記録される。
【００４７】
最下行２６６には、各列に記録された値の合計が記録される。粗蛋白質列２６３に記録された値の合計２６７は、オーダーメード型飼料で粗蛋白質の含量を示す。粗脂肪列２６４に記録された値の合計２６８と粗繊維列２６５に記録された値との合計２６９もそれぞれオーダーメード型飼料で粗脂肪の含量と粗繊維の含量を示す。一方、オーダーメード型飼料の成分として、粗蛋白質、粗脂肪、粗繊維のほかにも、粗灰分（ｃｒｕｄｅ  ａｓｈ）などがさらに含まれることができる。
【００４８】
図４の原料配合比ファイルは、図３のマッチングテーブルで該当するオーダーメード型飼料にリンクされ、飼料マッチングＤＢ２５０に格納される。販売サーバ２００は、図３のマッチングテーブルからオーダーメード型飼料の飼料コードを検出することができ、検出された飼料コードにリンクされた原料配合比ファイルからオーダーメード型飼料の原料配合比及び成分含量を検出することができる。
【００４９】
また図２を参照すれば、注文資格者ＤＢ２４０と飼料マッチングＤＢ２５０はメモリ部２３０に格納されることもでき、通信ネットワークを通じて連結された外部装置に格納されることもできる。
【００５０】
制御部２２０は、受信部２１０、メモリ部２２０、送信部２３０、注文資格者ＤＢ２４０、及び飼料マッチングＤＢ２５０を制御して本発明に係るオンライン販売方法を行う。
【００５１】
図５は、図１の販売サーバ２００によって行われるオンライン販売方法２０のフローチャートである。図５を参照すれば、販売サーバ２００は、オンライン接続された注文者端末１００からオーダーメード型飼料の注文申請を受信するＳ３０５。
【００５２】
販売サーバ２００は、これに応答して注文者端末１００に注文者情報を要請するＳ３１０。要請される注文者情報は、注文者が獣医師であることを証明できる情報である。このような情報には、注文者の獣医師資格証の写本が含まれ得る。必要に応じて注文者の住民登録証の写本などがさらに含まれ得る。
【００５３】
販売サーバ２００は、加入者端末１００から注文者情報を受信するＳ３１５。販売者は、受信した獣医師資格証の写本などに基づいて、注文者が獣医師であるか否かを判断するＳ３２０。
【００５４】
販売サーバ２００は、販売者によって注文者が獣医師であると確認されれば、注文者にＩＤを付与する。販売サーバ２００は、既に他の獣医師に付与したＩＤと重複しない限度で新たに生成したＩＤを付与することもでき、注文者が希望するＩＤを付与することもできる。パスワードは注文者が希望するものに付与される。販売サーバ２０は付与したＩＤとパスワードを注文資格者ＤＢ２４０に登録する。
【００５５】
販売サーバ２００は、注文資格者ＤＢ２４０に獣医師であると確認された者の他の身元情報も登録するために、注文者端末１００に他の身元情報を要請する。販売サーバ２００は、注文者端末１００から他の身元情報を受信すると、これを注文資格者ＤＢ２４０に登録する。
【００５６】
販売サーバ２００は、注文者端末１００に注文者情報を要請する段階Ｓ３１０で、注文者の獣医師資格証の写本などを代替して注文者のＩＤを要請することができる。
【００５７】
この場合、販売サーバ２００は、注文者端末１００からＩＤを受信するとＳ３１０、受信したＩＤに基づいて注文者が獣医師であるかどうかを判断するＳ３２０。具体的に、販売サーバ２００は、受信したＩＤが注文資格者ＤＢ２４０に格納されたものなのかどうかを判断する。注文資格者ＤＢ２４０にＩＤが格納された注文者は、すでに獣医師であると確認された者である。したがって、受信したＩＤが注文資格者ＤＢ２４０に格納されたものであれば、注文者が獣医師であると決定される。
【００５８】
ＩＤの盗用を防ぐために、販売サーバ２００は、注文者端末１００に注文者のＩＤを要請する際、注文者のパスワードも共に要請することができる。販売サーバ２００は、注文資格者ＤＢ２４０から受信したＩＤと一致するＩＤを検出すると、受信したパスワードが受信したＩＤと同一の行に記録されたパスワードと一致するかどうかを判断する。販売サーバ２００は、パスワードが一致してこそ、注文者が獣医師であると決定する。
【００５９】
販売サーバ２００は、注文者が獣医師ではないことが決定すれば、注文者端末１００に再び注文者情報を要請する。販売サーバ２００は、注文者が獣医師であることが確認されれば、注文者端末１００に対象ペットの個体の身体情報を入力するためのユーザインタフェースの入力画面を提供するＳ３２５。
【００６０】
注文者は、注文者端末１００にディスプレイされたユーザインタフェースの入力画面を通じて飼料マッチングＤＢ２５０の身体情報２５１を構成する項目２５１−１ないし１０のそれぞれに対して対象ペットの個体の身体情報を入力する。
【００６１】
例えば、対象ペットの個体は、注文者の病院を訪問した顧客が飼っているペットである。前述したように、販売サーバ２００は、注文者が獣医師ではないことが決定されれば、注文者端末１００に再び注文者情報を要請するだけであり、ユーザインタフェースの入力画面を提供しない。これによって、獣医師ではない者は、オーダーメード型飼料を注文できない。従って、獣医師ではない者は自分が飼っているペットのためのオーダーメード型飼料を購買するために獣医師の病院を訪問し、獣医師は訪問した顧客に代わってその顧客が飼っているペットのためのオーダーメード型飼料を注文する。
【００６２】
図６は、図５で提供されるユーザインタフェースの入力画面の例示図である。図６を参照すれば、ユーザインタフェースの入力画面４００は、ペットの身体情報を構成する項目である品種４１０、年齢４２０、体重４３０、及び各種の疾患４４０に対して注文者がペットの個体の身体情報を入力できるようにする。
【００６３】
以下で、対象ペットの個体の品種、年齢、体重がそれぞれ「マルチーズ」、「２歳」、「２．５ｋｇ」であり、対象ペットの個体が皮膚疾患を有する場合、注文者がユーザインタフェースの入力画面４００を通じて、対象ペットの個体の身体情報を入力する実施例を説明する。
【００６４】
注文者は、ペットの身体情報を構成する項目の中で先ず品種４１０に対して、対象ペットの個体の身体情報を入力するために、マウスで品種選択アイコン４１４をクリックする。品種選択アイコン４１４は、品種入力ボックス４１２の右側に逆三角形に位置する。
【００６５】
図７は、図６のユーザインタフェースの入力画面で、品種選択アイコン４１４がクリックされた状態を示した図である。図７を参照すれば、品種選択アイコン４１４のクリックによって品種入力ボックス４１２から品種選択ボックス４１６が広げられる。
【００６６】
品種選択ボックス４１６には、品種について入力できる候補のリストがディスプレイされる。このような候補は、シーズー、マルチーズ、コッカスパニエル、ヨークシャーテリア、ミニチュアピンシャ、ミニチュアシュナウザー、シベリアンハスキー、アラスカンマラミュート、ペキニズ、珍島犬、その他で構成される。使用者は、候補のリストから一つを選択する。
【００６７】
本実施例において、対象ペットの個体の品種はマルチーズと仮定した。これによって、注文者は、候補のリストから「マルチーズ」を選択する。選択された「マルチーズ」は品種に対して、対象ペットの個体の身体情報として入力される。
【００６８】
品種選択ボックス４１６にディスプレイされた候補のリストは多様に変形されことができる。例えば、候補のリストは、大型犬、中型犬、小型犬で構成されることができる。その他に、例えば、候補のリストは、大型犬、中型犬、小型犬に分類された後、これらのそれぞれに該当する細部の品種で構成されることができる。また、候補のリストにミックス犬の品種が含まれることもできる。
【００６９】
また図６を参照すれば、注文者は次に年齢４２０に対して、対象ペットの個体の身体情報を入力するために、マウスで年齢選択アイコン４２４をクリックする。年齢選択アイコン４２４は、年齢入力ボックス４２２の右側に逆三角形に位置する。
【００７０】
図８は、図６のユーザインタフェースの入力画面で、年齢選択アイコン４２４がクリックされた状態を示した図である。図８を参照すれば、年齢選択アイコン４２４のクリックによって年齢入力ボックス４２２から年齢選択ボックス４２６が広げられる。
【００７１】
年齢選択ボックス４２６には、年齢に対して、対象ペットの個体の身体情報で入力できる候補のリストがディスプレイされる。このような候補は、１週未満、１週以上〜２週未満、２週未満〜４週未満、４週間以上〜８週未満、８週間以上〜１６週未満、１６週以上〜６ヵ月未満、６ヵ月以上〜１歳未満、１歳以上〜３歳未満、３歳以上〜６歳未満、６歳以上〜１０歳未満、１０歳以上〜１５歳未満、１５歳以上〜２５歳未満、２５歳以上の年齢の区間で構成される。注文者は、候補のリストから一つを選択する。
【００７２】
本実施例において、対象ペットの個体の年齢は２歳であることを仮定した。これによって、注文者は、候補のリストから「１歳以上〜３歳未満」を選択する。選択された「１歳以上〜３歳未満」は年齢に対して、対象ペットの個体の身体情報として入力される。
【００７３】
また図６を参照すれば、注文者は次に体重４３０に対して、対象ペットの個体の身体情報を入力するために、マウスで体重選択アイコン４３４をクリックする。体重選択アイコン４３４は、体重入力ボックス４３２の右側に逆三角形に位置する。
【００７４】
図９は、図６のユーザインタフェースの入力画面で体重選択アイコン４３４がクリックされた状態を示した図である。図９を参照すれば、体重選択アイコン４３４のクリックによって体重入力ボックス４３２から体重選択ボックス４３６が広げられる。
【００７５】
体重選択ボックス４３６には、体重に対して、対象ペットの個体の身体情報で入力できる候補のリストがディスプレイされる。このような身体情報候補は、２００ｇ未満、２００ｇ以上〜３００ｇ未満、３００ｇ以上〜５００ｇ未満、５００ｇ以上〜１ｋｇ未満、１ｋｇ以上〜２ｋｇ未満、２ｋｇ以上〜３ｋｇ未満、３ｋｇ以上〜５ｋｇ未満、５ｋｇ以上〜１０ｋｇ未満、１０ｋｇ以上〜１５ｋｇ未満、１５ｋｇ以上〜２０ｋｇ未満、２０ｋｇ以上の体重区間で構成される。注文者は、候補のリストから一つを選択する。
【００７６】
本実施例において、対象ペットの個体の体重は２．５ｋｇであることを仮定した。これによって、注文者は、候補のリストから「２ｋｇ以上〜３ｋｇ未満」を選択する。選択された「２ｋｇ以上〜３ｋｇ未満」は体重に対して、対象ペットの個体の身体情報として入力される。
【００７７】
また図６を参照すれば、疾患入力ボックス４４２には身体情報項目に含まれた疾患のリストがディスプレイされる。このような疾患は、泌尿器疾患、関節疾患、消化器疾患、口腔疾患、肝疾患、皮膚疾患、心臓疾患で構成される。それぞれの疾患に対して右側に疾患入力アイコン４４４が中空になっている円形に位置する。
【００７８】
注文者は、対象ペットの個体が有している疾患に対する疾患入力アイコンをクリックする。疾患がない場合には何もクリックしなくてもいい。複数の疾患がある場合には、複数の疾患に対する疾患入力アイコンをクリックすることができる。
【００７９】
本実施例において、対象ペットの個体は皮膚疾患を有することを仮定した。これによって、注文者は疾患のリストから「皮膚」を選択する。
【００８０】
図１０は、図６のユーザインタフェースの入力画面で「皮膚」が選択された状態を示した図である。図１０を参照すれば、「皮膚」が選ばれたことで、「皮膚」に対する疾患入力アイコンの内部に中が満ちた円形表示４４６がディスプレイされる。選択された「皮膚」は疾患に対して、対象ペットの個体の身体情報として入力される。
【００８１】
また図６を参照すれば、注文者は「出る」アイコン４５０をクリックすることで、いつでも身体情報の入力を放棄することができる。注文者は身体情報の入力を完了すれば「転送する」アイコン４６０をクリックする。そうすれば、注文者端末１００は項目４１０ないし４４０に対して入力された対象ペットの個体の身体情報を販売サーバ２００に転送する。すなわち、注文者端末１００は品種に対して入力された「マルチーズ」という身体情報、年齢に対して入力された「１歳以上〜３歳未満」という身体情報、体重に対して入力された「２ｋｇ以上〜３ｋｇ未満」という身体情報、疾患に対して入力された「皮膚」という身体情報を販売サーバ２００に転送する。
【００８２】
販売サーバ２００は、注文者端末１００からこれらの身体情報を受信するＳ３３０。販売サーバ２００が受信した身体情報は、注文者によって入力された対象ペットの個体の身体情報である。販売サーバ２００は、受信した身体情報に基づいて対象のペットの個体のためのオーダーメード型飼料の原料配合比を決定するＳ３３５。
【００８３】
図１１は、図６の原料配合比の決定段階Ｓ３３５のフローチャートである。図１１を参照すれば、販売サーバ２００は、飼料マッチングＤＢ２５０から受信した身体情報に対応するオーダーメード型飼料の原料配合比を検出するＳ５１０。
【００８４】
飼料マッチングＤＢ２５０には、ペットが有することのできる身体情報が対応するオーダーメード型飼料コード及び原料配合比にマッチされている。したがって、販売サーバ２００は飼料マッチングＤＢ２５０を利用することにより、受信した身体情報に対応するオーダーメード型飼料の原料配合比を検出することができる。
【００８５】
図３において、飼料マッチングＤＢ２５０には、図面符号２５３と表示された行に品種が「マルチーズ」、年齢が「１歳以上〜３歳未満」、体重が「２ｋｇ以上〜３ｋｇ未満」、疾患が「皮膚」のみにある身体情報が記録されている。この行２５３の飼料コード２５２列には「０００８８１」２５４が記録されている。販売サーバ２００は飼料コード「０００８８１」に該当する飼料を受信した身体情報に対応するオーダーメード型飼料として検出する。販売サーバ２００は飼料コード「０００８８１」にリンクされた図４の原料配合比ファイルからこのオーダーメード型飼料の原料配合比を検出する。販売サーバ２００は検出された原料配合比を対象ペットの個体のためのオーダーメード型飼料の原料配合比に決定するＳ５２０。
【００８６】
このように注文者は、オーダーメード型飼料を直接に選択するのではなく、ペットの個体の身体情報を複数の項目に対して提供するだけであり、そのペットの個体のためのオーダーメード型飼料は専門家の検討を経て設定されたマッチング関係によって、そのペットの個体の身体情報に適合化された原料配合比を有する製品に決定される。これはペットの個体の安全の確保ができるようにし、飼料の効能を保障できるようにする。
【００８７】
また図５を参照すれば、販売サーバ２００は、決定されたオーダーメード型飼料の価格を決定するＳ３４０。決定されたオーダーメード型飼料は、決定された原料配合比を有するオーダーメード型飼料を意味する。決定されたオーダーメード型飼料の価格は決定されたオーダーメード型飼料の単価と注文容量によって算出される。
【００８８】
図３のマッチングテーブルに登録されたオーダーメード型飼料の個々の単価は予め設定される。設定された単価は、図３のマッチングテーブルで該当するオーダーメード型飼料にリンクされ、飼料マッチングＤＢ２５０に格納される。本実施例において、飼料コード「０００８８１」を有するオーダーメードの飼料の単価は「１０，０００ウォン／ｋｇ」であると仮定する。そうすれば、販売サーバ２００は飼料マッチングＤＢ２５０から「１０，０００ウォン／ｋｇ」の単価を検出する。
【００８９】
注文容量は注文者端末１００から受信する。このために販売サーバ２００は、注文者端末１００に注文容量を入力できるユーザインタフェースの入力画面を転送する。このユーザインタフェースの入力画面は注文者がオーダーメード型飼料の注文容量情報を入力できるようにする。
【００９０】
注文者は、図６のユーザインタフェースの入力画面４００と同一の方式で注文容量情報を入力することができる。つまり、注文者が注文容量を入力するためのユーザインタフェースの入力画面でマウスで注文容量選択アイコンをクリックすると、注文容量選択ボックスが広げられ、注文容量選択ボックスには、入力され得る候補のリストがディスプレイされる．候補のリストは３ｋｇ、５ｋｇ、１０ｋｇ、２０ｋｇなどで構成される。注文者は、候補のリストから一つを選択する。
【００９１】
本実施例において、注文者は「１０ｋｇ」を注文しようとすると仮定する。これによって、注文者は、候補のリストから「１０ｋｇ」を選択する。選択された「１０ｋｇ」は、オーダーメード型飼料の注文容量として入力される。
【００９２】
注文者が「転送する」アイコンをクリックすることにより、注文者端末１００は、入力された注文容量情報を販売サーバ２００に転送する。すなわち、注文者端末１００は注文容量情報として「１０ｋｇ」を販売サーバ２００に転送する。
【００９３】
図６のユーザインタフェースの入力画面４００に注文容量情報を入力するためのユーザインタフェースの入力画面を追加し、対象ペットの個体の身体情報を受信するとき、注文容量情報を共に受信することもできる。
【００９４】
販売サーバ２００は、検出された単価に受信した注文容量を乗じて決定されたオーダーメード型飼料の価格を決定する。本実施例において、決定されたオーダーメード型飼料の価格は１０，０００ウォン／ｋｇ＊１０ｋｇ＝１００，０００ウォンに決定される。
【００９５】
販売サーバ２００は、注文者端末に決定された価格（「１００，０００ウォン」）情報を転送し、決定されたオーダーメード型飼料の飼料コード（「０００８８１」）情報と成分含量の情報も転送するＳ３４５。飼料コードは、図３のマッチングテーブルから検出されて転送される。成分含量は図４の原料配合比ファイルから検出されて転送される。
【００９６】
転送された飼料コードは、注文者が後で同一の飼料を注文しようとする場合に使用されることができる。そのような場合、注文者は、今回に入力した身体情報と同一の身体情報を再度入力する必要なく、転送された飼料コードのみを入力することで、手軽に同一のオーダーメード型飼料を注文することができる。販売サーバ２００は、注文者端末１００から飼料コードを受信すると、図３のマッチングテーブルからその飼料コードを検出し、その飼料コードにリンクされた原料配合比ファイルから原料配合比を検出することができる。
【００９７】
注文者は、受信した価格情報と成分含量情報などを検討した結果、異常がなければ注文者端末１００を通じて販売サーバ２００に決定されたオーダーメード型飼料の購買申請情報を転送する。
【００９８】
注文者は、価格情報と成分含量情報などを検討した結果、異常があれば注文者端末１００を通じて他のオーダーメード型飼料の購買申請情報を転送することもできる。この場合、注文者は有していたオーダーメード型飼料リストから希望するオーダーメード型飼料を選択し、販売サーバ２００によって決定されたオーダーメード型飼料の代わりに自分が選択したオーダーメード型飼料の購買申請情報を販売サーバ２００に転送することができる。  
【００９９】
販売サーバ２００は、注文者端末１００から購買申請情報を受信するとＳ３５０、オーダーメード型飼料の配送のために注文者端末１００に配送先情報を要請するＳ３５５。注文者は、注文者端末１００を通じて配送先情報を入力して販売サーバ２００に転送する。注文者は、配送先情報として自分の病院の住所や対象ペットの個体を飼っている顧客の自宅住所などを入力することができる。注文者は注文資格者ＤＢ２４０に記録された自分の住所を配送先として選択することもできる。
【０１００】
販売サーバ２００は、注文者端末１００から配送先情報を受信するとＳ３６０、注文者端末１００に決定されたオーダーメード型飼料の代金に対する決済を要請するＳ３６５。代金に対する決済は電子決済システム４００を通じて行われることができる。
【０１０１】
販売サーバ２００は、決済が完了されればＳ３７０、代金が決済されたオーダーメード型飼料の製造および配送を指示するＳ３７５。このために、販売サーバ２００は、工場サーバ３００に代金が決済されたオーダーメード型飼料の製造指示情報及び配送指示情報を転送する。製造指示情報及び配送指示情報は、決定された原料配合比、オーダーメード型飼料の容量、配送先の住所、注文者の電話番号などを含むことができる。工場サーバ３００が飼料コードと原料配合比のマッチングテーブルを有している場合、販売サーバ２００は決定された原料配合比の代わりに、決定されたオーダーメード型飼料の飼料コードを転送することもできる。注文者の電話番号などは注文資格者ＤＢ２４０から検出されて転送される。
【０１０２】
工場サーバ３００側は、決定された原料配合比を有するオーダーメードの飼料を製造して配送先の住所に配送する．オーダーメード型飼料の製造と配送がそれぞれ異なる主体によって行われることもできる。
【０１０３】
このようにオーダーメード型飼料の製造は、取引が実現された後にオーダーメード型で行われる。これは販売者が飼料を予め製造して備蓄しておき、注文者との取引きが実現すれば、備蓄しておいた飼料を配送する従来の技術に比べて相対的により新鮮な飼料を提供できるようにする。また、これは販売者が在庫の負担なく多様な種類のペットフードを販売できるようにする。
【０１０４】
ペットの個体がそれぞれ異なる多様な身体情報を有することにもかかわらず、注文者は対象ペットの個体の身体情報に適合化された飼料の提供を受けることができる。したがって、対象ペットの個体の健康維持または回復を保障することができる。
【０１０５】
販売サーバ２００は、代金決済が完了すればＳ３７０、注文者の口座に手数料を振替するＳ３８０。注文者の口座番号は注文資格者ＤＢ２４０から検出される。
【０１０６】
単に獣医師のみが注文を可能にし、取引が実現された後に獣医師に手数料を振替することで、獣医師は手数料を通じて直接的な収益を創出できるだけでなく、飼料を注文しようと訪問する顧客から間接的な収益を創出することもできる。飼料を注文するために獣医師を訪問する顧客も獣医師を通じて飼料を注文することによって飼料の安全性及び信頼性をさらに確保することができる。
【０１０７】
注文者に要求される資格要件は、注文者が獣医師と同等であると認められる場合にも満たされるものと拡大され得る。例えば、資格要件は注文者がペット同好会の場合にも満たされるものと拡大され得る。
【０１０８】
本発明に係るオンライン販売方法は、犬のほかに、猫などの他のペット類に対しても適用されることができる。この場合に、対象ペット類の身体情報を構成する項目は、当該ペット類に適合したものに変更され、オーダーメード型飼料の原料配合比もそれによって変更される。
【０１０９】
本発明は、コンピューターで読み取りが可能な記録媒体に、コンピューターが読み取り可能なコードとして具現化することが可能である。コンピューターが読み取り可能な記録媒体はコンピューターシステムによって読み取られるデータが格納されるすべての種類の記録装置を含む。コンピューターが読み取り可能な記録媒体の例としては、ＲＯＭ、ＲＡＭ、ＣＤ−ＲＯＭ、磁気テープ、フロッピーディスク、光データ記憶装置などがあり、また、キャリアウェーブ（例えば、インターネットを通じた転送）の形態で具現されるものも含む。また、コンピュータが読み取り可能な記録媒体は、ネットワークに連結されたコンピュータシステムに分散され、分散方式でコンピュータが読み取り可能なコードが格納及び実行されることができる。
【０１１０】
以上、本発明について、その望ましい実施例を中心にして説明した。本発明が属する技術分野で通常の知識を持った者は、本発明の本質的な特性から脱しない範囲で変形された形で具現できる。よって、開示された実施例は限定的な観点ではなく、説明的な観点で考慮される。本発明の範囲は、前述した説明ではなく、特許請求の範囲に示されており、それと同等の範囲内にある全ての差異点は本発明に含まれる。
【図１】
2016507821.tif 000003
【図２】
2016507821.tif 000004
【図３】
2016507821.tif 000005
【図４】
2016507821.tif 000006
【図５】
2016507821.tif 000007
【図６】
2016507821.tif 000008
【図７】
2016507821.tif 000009
【図８】
2016507821.tif 000010
【図９】
2016507821.tif 000011
【図１０】
2016507821.tif 000012
【図１１】
2016507821.tif 000013
【国際調査報告】
2016507821.tif 000014
2016507821.tif 000015
2016507821.tif 000016
2016507821.tif 000017